(57)【要約】【課題】  従来方法の問題を解消するネットワークトラフィックの管理方法を提供すること。【解決手段】  本方法は、トラフィックを通信するＩＰリンクで接続されたノードより成るＩＰネットワークを準備し、輻輳についてＩＰネットワークを監視し、輻輳を検出すると、再ルーティングするためにＩＰネットワークのラベル交換経路（ＬＳＰ）を選択する。第１，第２ノード間で選択されたＬＳＰについて、ハイブリッドパスルート（ＨＰＲ）が算出される。ＨＰＲは、ＩＰネットワークに接続される波長分割多重化（ＷＤＭ）トポロジの光経路を有する。選択されたＬＳＰに関するＨＰＲのパフォーマンスがコストを減らすか否かが判定され、コストが減る場合に、ＷＤＭトポロジの光経路の各々で新たなＩＰリンクが活性化され、ＨＰＲに従って再ルーティングされる。【選択図】  図１ 
2005312048.tif 000002
【特許請求の範囲】
【請求項１】
トラフィックを通信するために、インターネットプロトコル（ＩＰ）リンクで接続された複数のノードより成るＩＰネットワークを準備するステップ；
輻輳イベントについて前記ＩＰネットワークを監視するステップ；
輻輳イベントを検出した場合に、再ルーティングするために前記ＩＰネットワークのラベル交換経路（ＬＳＰ）を選択するステップ；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出するステップ；
選択されたＬＳＰに関する前記ハイブリッドパスルートのパフォーマンスがコストを減らすか否かを判定するステップ；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングするステップ；
を有することを特徴とするネットワークトラフィックを管理する方法。
【請求項２】
選択されたＬＳＰの再ルーティング後に、アイドル状態のＩＰリンクを廃止するステップを更に有する
ことを特徴とする請求項１記載の方法。
【請求項３】
前記ＷＤＭトポロジの光伝送サービスプロバイダにより構築され且つ前記ＷＤＭトポロジの利用可能な光経路の部分集合を有する変換トポロジを受信するステップ；
を更に有し、前記ハイブリッドパスルートが前記変換トポロジに基づいて算出される  
ことを特徴とする請求項１記載の方法。
【請求項４】
インターネットプロトコル（ＩＰ）リンクで接続された複数のノードより成る、トラフィックを通信するためのＩＰネットワーク；
光トラフィックを伝送する複数の光経路を有する、ＩＰネットワークに接続された波長分割多重化（ＷＤＭ）トポロジ；及び
コントローラ；
を有し、前記コントローラは、
トラフィックを通信するためにＩＰリンクを準備し；
輻輳イベントについて前記ＩＰネットワークを監視し；
輻輳イベントを検出した場合に、再ルーティングするために前記ＩＰネットワークのラベル交換経路（ＬＳＰ）を選択し；
前記複数のノード中の第１ノード及び第２ノード間で選択されたＬＳＰについて、前記ＷＤＭトポロジの複数の光経路の少なくとも１つを有するハイブリッドパスルートを算出し；
選択されたＬＳＰに関する前記ハイブリッドパスルートのパフォーマンスがコストを減らすか否かを判定し；及び
前記ハイブリッドパスルートがコストを減らす場合に、前記ＷＤＭトポロジの複数の光経路の少なくとも１つの各々で新たなＩＰリンクをアクティブにし；及び前記ハイブリッドパスルートに従って選択されたＬＳＰを再ルーティングする；
ことを特徴とするネットワークトラフィックを管理するシステム。
【請求項５】
前記コントローラが、選択されたＬＳＰの再ルーティング後に、アイドル状態のＩＰリンクを廃止する
ことを特徴とする請求項４記載のシステム。
【請求項６】
ネットワークトラフィックを管理する、媒体中にエンコードされる論理装置であって、
トラフィックを通信するために、インターネットプロトコル（ＩＰ）リンクで接続された複数のノードより成るＩＰネットワークを準備すること；
輻輳イベントについて前記ＩＰネットワークを監視すること；
輻輳イベントを検出した場合に、再ルーティングするために前記ＩＰネットワークのラベル交換経路（ＬＳＰ）を選択すること；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出すること；
選択されたＬＳＰに関する前記ハイブリッドパスルートのパフォーマンスがコストを減らすか否かを判定すること；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングすること；
を実行させる論理装置。
【請求項７】
選択されたＬＳＰの再ルーティング後に、アイドル状態のＩＰリンクを廃止すること
を更に実行させる請求項６記載の論理装置。
【請求項８】
トラフィックを通信するために、インターネットプロトコル（ＩＰ）リンクで接続された複数のノードより成るＩＰネットワークを準備する手段；
輻輳イベントについて前記ＩＰネットワークを監視する手段；
輻輳イベントを検出した場合に、再ルーティングするために前記ＩＰネットワークのラベル交換経路（ＬＳＰ）を選択する手段；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出する手段；
選択されたＬＳＰに関する前記ハイブリッドパスルートのパフォーマンスがコストを減らすか否かを判定する手段；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングする手段；
を有することを特徴とするネットワークトラフィックを管理するシステム。
【請求項９】
選択されたＬＳＰの再ルーティング後に、アイドル状態のＩＰリンクを廃止する手段を更に有する
ことを特徴とする請求項８記載のシステム。
【請求項１０】
トラフィックを通信するために、インターネットプロトコル（ＩＰ）リンクで接続された複数のノードより成るＩＰネットワークを準備するステップであって、前記複数のノードの各々はＩＰルータより成るところのステップ；
輻輳イベントについて前記ＩＰネットワークを監視するステップ；
輻輳イベントを検出した場合に、再ルーティングするために前記ＩＰネットワークのラベル交換経路（ＬＳＰ）を選択するステップ；
波長分割多重化（ＷＤＭ）トポロジの光伝送サービスプロバイダにより構築され且つ前記ＷＤＭトポロジの利用可能な光経路の部分集合を有する変換トポロジを受信するステップであって、前記ＷＤＭトポロジの光経路の各々は前記ＷＤＭトポロジの光相互接続部を接続するところのステップ；
前記複数のノード中の第１ノード及び第２ノード間で選択されたＬＳＰについて、前記ＩＰネットワークに接続されるＷＤＭトポロジの少なくとも１つのＩＰリンク及び少なくとも１つの光経路を有するハイブリッドパスルートを、前記変換トポロジに基づいて算出するステップ；
選択されたＬＳＰに関する前記ハイブリッドパスルートのパフォーマンスがコストを減らすか否かを判定するステップ；
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングするステップ；及び
選択されたＬＳＰを再ルーティングした後に、アイドル状態のＩＰリンクを廃止するステップ；
を有することを特徴とするネットワークトラフィックを管理する方法。
【発明の詳細な説明】
【技術分野】
【０００１】
本発明は、一般に通信ネットワークに関し、特にネットワークトラフィックを管理する方法、システム及び論理装置に関連する。
【背景技術】
【０００２】
トラフィックの処理は通信ネットワーク管理タスクを含み、そのタスクは、ネットワークリソースの効率を改善し、アプリケーショントラフィックのサービス品質を保証し、ネットワーク動作の信頼性を向上させる。インターネットプロトコルネットワークでのトラフィック処理は、トポロジ設計、負荷平衡（ｌｏａｄ−ｂａｌａｎｃｉｎｇ）及びトラフィック再ルーティングのような技術により実行可能である。インターネットプロトコルネットワーク用のあるトラフィック処理法は、ネットワークトラフィックのサービス品質条件に合うように設計される。即ち、これらの手法の目的は、ネットワークの輻輳及びリンクの過剰負荷（オーバーロード）を処理することにある。
【発明の開示】
【発明が解決しようとする課題】
【０００３】
本発明の課題は、従来の方法及びシステムに関する欠点及び問題点の少なくともいくつかを実質的に解消又は軽減する、ネットワークトラフィックを管理する方法及び装置を提供することである。
【課題を解決するための手段】
【０００４】
本発明の特定の実施例によれば、ネットワークトラフィックを管理する方法は、トラフィックを通信するためにインターネットプロトコル（ＩＰ）ネットワークを準備するステップを有する。ＩＰネットワークは、ＩＰリンクで接続された複数のノードより成る。本方法は、輻輳イベントについて前記ＩＰネットワークを監視するステップ、輻輳イベントを検出した場合に、再ルーティングするために前記ＩＰネットワークのラベル交換経路（ＬＳＰ）を選択するステップを有する。本方法は、前記複数のノード中の第１ノード及び第２ノード間で選択されたＬＳＰについて、ハイブリッドパスルートを算出するステップを有する。ハイブリッドパスルートは、前記ＩＰネットワークに接続される波長分割多重化（ＷＤＭ）トポロジの少なくとも１つの光経路を有する。本方法は、選択されたＬＳＰに関する前記ハイブリッドパスルートのパフォーマンスがコストを減らすか否かを判定し、前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングするステップを有する。
【０００５】
本方法は、選択されたＬＳＰの再ルーティング後に、アイドル状態のＩＰリンクを廃止するステップを更に有してもよい。本方法は、前記ＷＤＭトポロジの光伝送サービスプロバイダにより構築され且つ前記ＷＤＭトポロジの利用可能な光経路の部分集合を有する変換トポロジを受信するステップを更に有してもよい。前記ハイブリッドパスルートは前記変換トポロジに基づいて算出されてもよい。選択されたＬＳＰに関する前記ハイブリッドパスルートのパフォーマンスがコストを減らすか否かを判定するステップは、前記ハイブリッドパスルートの各ＩＰリンク及び各光経路に関するコストを計算するステップを有してもよい。前記ＷＤＭトポロジの少なくとも１つの光経路の各々で新たなＩＰリンクをアクティブにするステップは、前記少なくとも１つの光経路各自の端部各々に未使用ルータポートを割り当てるステップ；及び設定された光経路各自に割り当てられたルータポートをアクティブにするステップを有してもよい。前記ＩＰネットワークの複数のノード各々はＩＰルータから構成されてもよく、前記ＷＤＭトポロジの光経路の各々は前記ＷＤＭトポロジの光相互接続部を接続してもよい。前記ハイブリッドパスルートは、少なくとも１つのＩＰリンクを有してもよい。
【０００６】
本発明の別の実施例によれば、ネットワークトラフィックを管理するシステムは、トラフィックを通信するＩＰネットワークを含む。ＩＰネットワークは、ＩＰリンクで接続された複数のノードより成る。本システムは、ＩＰネットワークに接続されたＷＤＭトポロジを含む。ＷＤＭトポロジは、光トラフィックを伝送する複数の光経路を有する。本システムはコントローラも含む。コントローラは：トラフィックを通信するためにＩＰリンクを準備し；輻輳イベントについて前記ＩＰネットワークを監視し；輻輳イベントを検出した場合に、再ルーティングするために前記ＩＰネットワークのラベル交換経路（ＬＳＰ）を選択し；前記複数のノード中の第１ノード及び第２ノード間で選択されたＬＳＰについてハイブリッドパスルートを算出する。ハイブリッドパスルートは、前記ＷＤＭトポロジの複数の光経路の少なくとも１つを有する。コントローラは、選択されたＬＳＰに関する前記ハイブリッドパスルートのパフォーマンスがコストを減らすか否かを判定し；前記ハイブリッドパスルートがコストを減らす場合に、前記ＷＤＭトポロジの複数の光経路の少なくとも１つの各々で新たなＩＰリンクをアクティブにし；及び前記ハイブリッドパスルートに従って選択されたＬＳＰを再ルーティングする。
【０００７】
コントローラは、選択されたＬＳＰの再ルーティング後に、アイドル状態のＩＰリンクを廃止してもよい。コントローラは、前記ＷＤＭトポロジの光伝送サービスプロバイダにより構築され且つ前記ＷＤＭトポロジの利用可能な光経路の部分集合を有する変換トポロジを受信してもよい。ハイブリッドパスルートは前記変換トポロジに基づいて算出されてもよい。
【発明の効果】
【０００８】
本発明の特定の態様による技術的利点は、ネットワークの輻輳時に、ＬＳＰについてのハイブリッド経路を算出することを含む。ハイブリッド経路は、既存のＩＰリンクに加えて、ＷＤＭトポロジの光経路より成る候補経路を含んでもよい。トラフィック処理及び管理判断を行うために、ＷＤＭトポロジを表すもののみがインターネットサービスプロバイダに明らかにされるように、ＩＰトポロジがＷＤＭトポロジに重ねられる（オーバーレイ）。従って、ＩＰトラフィックを管理する場合に、インターネットサービスプロバイダは、ＷＤＭトポロジ全体又は光トラフィック処理判断の詳細に関連付けられなくてもよい。その代わりに、インターネットサービスプロバイダは、光伝送サービスプロバイダと交渉した利用可能なＷＤＭリンクを示すトポロジのみを受信してもよい。従って、再ルーティングの演算コストは減らせるかもしれない。本発明の特定の態様は、動的なネットワーク装備を許容し、初期のネットワーク計画で設定された重要度及びウエイトを減らす。更に、本発明の特定の態様は、光伝送サービスプロバイダが、同じリソース量でより多くの顧客を収容することを可能にするので、光伝送サービスプロバイダの収入が増えるかもしれない。
【０００９】
本発明の他の技術的利点は、明細書、図面及び特許請求の範囲により当業者に明白になるであろう。更に、具体的な利点が列挙されたが、様々な態様は、列挙された利点の全部又は一部を有してもよいし、全く有しなくてもよい。
【発明を実施するための最良の形態】
【００１０】
以下、本発明の実施例によるネットワークトラフィックを管理する方法、システム及び論理装置が説明される。この場合において、論理装置なる語は、ソフトウエアで構成される論理プログラムや、ハードウエアで構成される論理回路を含む概念である。
【００１１】
本発明及びその利点を更に充分に理解するため、添付図面に関連して以下の説明が参照される。
【００１２】
図１は、本発明の特定の実施例による、インターネットプロトコル（ＩＰ）トラフィックを管理するシステム１０を示す。システム１０は、ＩＰネットワーク１２及び光ネットワーク１２を含む。ＩＰネットワーク１２は、１対１（ポイントトゥポイント）、マルチキャスト、ユニキャストその他の技術によるどの形式でも及び／又はそれらのどの組み合わせでもそれを通じてデータ通信を行う。ＩＰネットワーク１２はルータ１６を含み、ルータは、それを通じてデータがＩＰリンク１８上で通信されるノードとして機能する。ＩＰネットワーク１２は、適切などの方法でもそれにより配備されたいかなる数のルータ１６を含んでもよい。
【００１３】
光ネットワーク１４は、ネットワークを通じたデータ通信の光経路サービスを提供する。光ネットワーク１４は波長分割多重化（ＷＤＭ）ネットワークより成り、そのネットワークでは、多数の光チャネルが、波長によりチャネルを変調することで共通の経路上で通信される。光ネットワーク１４は、適切ないかなる多重化機能を利用してもよく、チャネルは利用可能な帯域の適切などの区分を表現してもよい。光ネットワーク１４は、光相互接続部（光クロスコネクタ）（ＯＸＣ）２０と、光リンク２２と、他のＷＤＭ伝送機器とを含む。光ネットワーク１４は、適切などの方法でもそれで配備されたいかなる数のＯＸＣ２０を含んでもよい。特定の実施例では、光ネットワーク１４のリンクは、全二重ファイバリンクより成る。
【００１４】
ＩＰネットワーク１２及び光ネットワーク１４のトポロジは、様々な実施例で異なっていてもよい。例えば、ある実施例は、頂点と辺の組み合わせが異なるＩＰネットワーク及び光ネットワークを含んでもよい。図示の例では、ＩＰネットワーク１２の各ＩＰルータ１６は、光ネットワーク１４のＯＸＣ２０と場所を共用している。ネットワーク１２，１４は、データソース、インターネットサービスプロバイダ（ＩＳＰ）、コンピュータシステム、ルータ、ケーブル、データの宛先及びデータ通信に使用される他の任意の機器のようなデータ伝送をサポートする適切ないかなる要素の集合及び配列を含んでもよい。
【００１５】
図示の例では、ＩＰネットワーク１２はマルチプロトコルラベルスイッチング（ＭＰＬＳ：ｍｕｌｔｉ−ｐｒｏｔｏｃｏｌ  ｌａｂｅｌ  ｓｗｉｃｈｉｎｇ）を利用して動作し、ＭＰＬＳは、輻輳や不具合を回避し或いは特定のサービスクラス又はレベルを可能にするように、ラベル交換される経路（ＬＳＰ：ｌａｂｅｌ  ｓｗｉｔｃｈｅｄ  ｐａｔｈ）を利用して様々な経路でトラフィックを通信する。ＩＰネットワーク１２はＩＰサービスプロバイダにより運営され、光ネットワーク１４は光伝送サービスプロバイダにより運営される。特定の実施例では、ＩＰサービスプロバイダは、光伝送サービスプロバイダの顧客（カスタマ）でもよく、ＩＰネットワークルータに相互接続するために、その光伝送サービスプロバイダから光経路を借りてもよい（リースしてもよい）。
【００１６】
ある場合には、ＩＰリンクを設定するために光ネットワークの光経路を借りる料金は、インターネットサービスプロバイダの運営支出（ＯＰＥＸ）のかなりの部分を占める可能性があり、一般にインターネットサービスプロバイダは運営支出を減らそうとする。ＯＰＥＸを減らすため、インターネットサービスプロバイダは、ＩＰリンク容量を最良に使用するように、彼らのネットワーク内でＭＰＬＳトラフィック処理技法を適用してもよい。しかしながら、場合によっては、インターネットサービスプロバイダのトラフィック処理技法は限定された範囲及び効率しかない。なぜなら、インターネットサービスプロバイダは、光伝送サービスプロバイダからオンデマンドで光経路サービスを受けることができないかもしれないからである。
【００１７】
状況によっては、ＩＰネットワークでのデータトラフィック量は、例えば所与の２４時間の間に、大きな変動と共に周期的であるかもしれない。顧客からのサービス品質要求に適合し、ユーザ数及びインターネットアプリケーションの組み合わせの変化を処理するために、インターネットサービスプロバイダは、トラフィックの伸び率を予測し、周期的な要求のピークレベルに基づいてネットワーク容量を用意してもよい。こうして、トラフィック処理技法は、ピークのトラフィック要求を満たす容量条件を緩和するように、輻輳処理に集中してもよい。しかしながら、このシナリオでは、ネットワークリソースが、ピークでない期間に十分に活用されないかもしれない。
【００１８】
インテリジェントＷＤＭ機器及び一般化ＭＰＬＳ（ＧＭＰＬＳ）制御プレーン技法は、光伝送サービスプロバイダが、インターネットサービスプロバイダにオンデマンドで光経路サービスを提供する機会を作る。そのようなサービスにより、インターネットサービスプロバイダは、静的で過剰に用意されたネットワークトポロジと通信する代わりに、トラフィックパターンの変動に合わせてオンデマンドでＩＰリンクをアクティブにすることができる。インターネットサービスプロバイダにとって、そのような技術進歩は、ネットワーク運営の重要な変化をもたらす。トラフィック予測及び固定的なネットワーク設計を重く当てにする代わりに、インターネットサービスプロバイダは、ネットワーク容量の柔軟なインベントリでネットワークを運営することができ、必要に応じてネットワーク容量を増やす又は減らすためにマルチレイヤトラフィック技法（ＭＬ−ＴＥ）を使用することができる。
【００１９】
マルチレイヤトラフィック技法は、トラフィック処理タスクを含んでもよく、変化するトラフィック要求の下で、ある目的を達成するためにＩＰリンクをアクティブにする又は廃止するように実行される。本発明の特定の実施例は、従来のトラフィック処理アプリケーションを拡張し、インターネットサービスプロバイダのＯＰＥＸ削減の目的を有するマルチレイヤトラフィック処理システムを提供しながら、顧客のサービスレベル契約に応じるように適切な複数のサービスレベルの品質を維持する。そのような複数のレベルは、ＩＰネットワークレベル及び光ネットワークレベルを含む。
【００２０】
特定の実施例では、オンデマンドの光経路サービスは光伝送サービスプロバイダにより提案されてもよく、帯域条件に従ってオンデマンドでＩＰリンクがアクティブにされ及び廃止されてもよいように、適切な数の利用可能なルータが存在する。ルータポートのコスト、主要な支出は、ＩＰリンクのリースコスト、運営支出と比較すると、一般的にはさほど重要ではない。従って、ＩＰリンクの効率的な管理が、より重要であり、特定の実施例の多層トラフィック処理システムの目的を構成してもよい。動作時にあっては、特定の実施例は、２つのコスト要因の間のバランスを維持するトラフィック処理フレームワークを使用し、その要因は、光経路のリースコスト、及び顧客のサービスレベル契約違反のペナルティである。
【００２１】
図２は、本発明の特定の実施例による、図１のシステム１０のネットワークトラフィックを管理するトラフィックマネジャ３０を示す。トラフィックマネジャ３０は、ＩＰネットワーク１２のインターネットサービスプロバイダにより操作されてもよく、適切ないかなる場所に、又はＩＰネットワーク１２のルータ１６内のような、システム１０の適切ないかなる要素の中に設けられてもよい。システム１０は、個々の必要性に応じて、いかなる数のトラフィックマネジャを含んでもよい。
【００２２】
トラフィックマネジャ３０は、インターフェース３２、コントローラ３４及びメモリ３６を含む。インターフェース３２は、システム１０の要素とのインターフェースをとり、その要素は、様々なトラフィック管理タスクを実行するためのＩＰネットワーク１２及び光ネットワーク１４の要素を含む。コントローラ３４は、ＭＰＬＳ及び経路算出のような、様々なトラフィック管理タスクを実行する。特定の実施例では、コントローラ３４は、輻輳を回避するために以下で更に説明されるトラフィック管理タスクを実行し、運営コストを減らし、ＩＰネットワーク１２によるトラフィック通信に関するあるサービスレベルを維持する。コントローラ３４は、マイクロプロセッサやコントローラでもよく、又は他の適切ないかなるコンピュータ若しくはリソースでもよく、システム１０内で利用可能な機能を実行するために様々なコンピュータ言語の様々な種類のコンピュータ命令を実行するよう構成される。メモリ３６は、揮発性又は不揮発性のいかなる形式のメモリでもよく、そのメモリは、限定ではないが、磁気媒体、光媒体、ランダムアクセスメモリ（ＲＡＭ）、リードオンリメモリ（ＲＯＭ）、取り外し可能な媒体又は他の適切なローカルの若しくはリモートのいかなるメモリ要素をも含む。メモリ３６は、構成要素、論理モジュール又はプロセッサ３４で実行可能なソフトウエアを含み、メモリ３６の構成要素は、本発明の範囲内で、特定の必要性又は要請による処理のために合成及び／又は分散されてもよい。
【００２３】
図３は、本発明の特定の実施例による、ＩＰネットワーク１２のトラフィックを管理する方法を示すフローチャートである。本方法はステップ１００から始まり、ＩＰネットワークが始めに準備される。マルチレイヤトラフィック処理に関するその初期の準備は、ネットワーク計画及び寸法設定（ｄｉｍｅｎｓｉｏｎｉｎｇ）を含む。トラフィック要求及びネットワークトポロジを示すトラフィックマトリックスのような所与のネットワーク情報の下で、ネットワークオペレータは、ＬＳＰルーティング及びＩＰリンクの配置を決定してもよい。ＩＰトポロジ（例えば、ＩＰリンク配置）及びＬＳＰルーティングは、トラフィック要求が変化するにつれて、時間と共に変化する。従って、初期のＩＰトポロジ及びルーティングを決定するために、簡易な設定法が適用されてもよい。
【００２４】
ステップ１０２では、ネットワークは、トラフィック要求の変化及びネットワーク状態の変化（例えば、リンク不具合や渋滞）を検出して応答するように監視される。ステップ１０４では、何らかのＩＰリンクが輻輳している又は十分に活用されていないか否かを判定する。輻輳は、ＩＰリンクの利用度に関する閾レベルを検出することによって判定されてもよい。ＩＰリンクが輻輳している又は十分に活用されていない場合には、本方法はステップ１０６に進み、検出を行う中間のＬＳＲが、選択アルゴリズムに従って、再ルーティング用のＬＳＰを選択する。中間のＬＳＲは、進入ＬＳＲに選択したＬＳＲを通知する。
【００２５】
特定の状況では、ＭＰＬＳトラフィック処理法がネットワーク輻輳を処理するのにもはや効果的でないように、トラフィック要求はＩＰネットワークの容量を増減してもよい（なぜなら、ＭＰＬＳトラフィック処理法だけでは、ネットワーク容量を増やさないからである。）。その結果、特定の実施例はハイブリッド経路ルーティング法を使用し、その方法では、考察対象のＬＳＰの新たな経路は、既存のＩＰトポロジと、光伝送サービスプロバイダにより開示されるＷＤＭトポロジ部分集合（例えば、図１の光ネットワーク１４のトポロジの部分集合）の結合により計算される。ＷＤＭトポロジの部分集合（サブセット）は、変換されたトポロジとも言及される。
【００２６】
ステップ１０８では、進入ＬＳＲ又はヘッドノードは、選択されたＬＳＰの再ルーティング用のハイブリッドパスルートを計算する。ハイブリッドパスルート計算の結果は、存在するＩＰリンク、及び変換されたトポロジでのリンクより成る。例えば、特定のハイブリッドパスルートは、図１のＩＰネットワーク１２のＩＰリンク１８と、光ネットワーク１４のリンク２２との組み合わせを含んでもよい。これらの新たなリンクは、候補リンクと呼ばれてもよい。それが使用されると、ハイブリッド経路内の候補リンクは、光トラフィック処理法を用いてＷＤＭレイヤ内で設定されてもよく、新たに付加されたＩＰリンクとしてＩＰレイヤで活性化（アクティブに）されてもよい。場合によっては、ハイブリッドパスルート計算による経路は、ＩＰリンク１８しか含まない、或いは光ネットワーク１４のリンク２２しか含まないかもしれない。
【００２７】
算出されたハイブリッドパスルートの各リンクは、コストに関連付けられる。関連するコストは、経路全体のコストを決定するために合計される。ステップ１１０では、そのハイブリッドパスルートのパフォーマンスによりネットワークコストが減るか否かが判定される。ハイブリッドパスルートのパフォーマンスがネットワークコストを減らすならば、本方法はステップ１１２に進み、計算したハイブリッドパスルートが、ＷＤＭレイヤからの候補リンクを実際に含むか否かが判定される。ＷＤＭレイヤからの候補リンクがハイブリッドパスルートに含まれるならば、本方法はステップ１１４に進み、新たなＩＰリンクがそれらの候補リンクで起動される。ステップ１１０で、算出された経路でのパフォーマンスによりネットワークコストが減らないと判定されたならば、本方法はステップ１０２に戻る。
【００２８】
ステップ１１６では、ＬＳＰは、計算されたハイブリッドパスルートに従って再ルーティングされる。旧ルートから新ルートへＬＳＰを切り換える通知がなされ、旧ルートは切り離される。ステップ１１８では、その別ルートがアイドル（不使用の）ＩＰリンクになるか否かを判別する。もしそうなれば、本方法はステップ１２０に進み、リースコストを減らすために、アイドルＩＰリンクは除去される。
【００２９】
光トラフィック処理は、インターネットサービスプロバイダによるＩＰリンクを設定する要求に応じて、各光経路で使用される実際のルートを決定する。ここで説明されるマルチレイヤトラフィックフレームワークでは、階層関係はＩＰ及びＷＤＭネットワーク間に残り、そうしてマルチレイヤトラフィック処理法は、光伝送サービスプロバイダによって提供されるがその光トラフィック処理判断にはかかわらない光経路サービスを起動する。これは、光伝送サービスプロバイダが、オンデマンドで且つ増える分だけＷＤＭ光経路を設定できるならば、このフレームワークに便利である。
【００３０】
上述のように、再ルーティングに特定のＬＳＰを選択するために、特定のアルゴリズムが実行されてもよい。特定の実施例では、リンク状態ルータ（ＬＳＲ：ｌｉｎｋ  ｓｔａｔｅ  ｒｏｕｔｅｒ）の各々は、進出リンクの帯域利用度を監視する。そのような情報は、オープン最短経路ファースト（ＯＳＰＦ）プロトコルのリンク状態通知に付加されてもよく、ネットワーク間に拡布されてもよい。透明でない（オーペク：ｏｐａｑｕｅ）ＬＳＡの拡張子が利用度の情報を搬送してもよい。更に、各ＬＳＰの帯域消費（例えば、トラフィック量）も監視されてよい。特定の実施例では、この情報の用途は、リンク輻輳のようなトラフィック処理イベントに応答してＬＳＰが再ルーティングされるべきことを判断するために、中間のＬＳＲによる内部の利用に制限されてもよい。
【００３１】
ＬＳＰ選択は、リンク利用度及びＬＳＰ帯域消費度に基づく。再ルーティング要求は、進入ＬＳＲに送付される。トラフィック処理動作の安定化のため、ＬＳＰは、同じトラフィック処理イベントに関するＬＳＰについて一度に一つ再ルーティングされてもよい。以前のＬＳＰ再ルーティングが完了した後に、或いは予め定められた期間が経過した後に、どちらが先に生じても、中間のＬＳＲは新たな再ルーティング要求を送出してもよい。
【００３２】
進入ＬＳＲにより、ＬＳＰのデータトラフィックを新たな経路に再ルーティングできる。再ルーティング要求を受信すると、進入ＬＳＲは、ネットワークリンク利用情報（ＯＳＰＦのオーペクＬＳＡを通じて受信される）を用いて、ＬＳＰについての代替的な経路を計算する。新たな経路は、輻輳を引き起こさずに、データが再ルーティングされるのに十分な帯域を有する必要がある。可能ならば、その新たな経路は、トラフィックを結合し、不使用のＩＰリンクを廃止するように、利用度の軽いＩＰリンクを避けるべきである。進入ＬＳＲは、データトラフィックを伝送する新たなＬＳＰを設定するために、標準的なＲＳＶＰトラフィック処理プロトコルを使用し、その後に古いＬＳＰを切り離す。特定の実施例では、再ルーティングを始める明確な何らの確認も、中間的なＬＳＲに返送されなくてもよい。
【００３３】
ＩＰネットワークが静的なＩＰ／ＭＰＬＳトポロジで動作するならば、リソース（即ち、リンク）は固定的に用意され、空きリンクはコストを減らすために破棄できないので、十分に活用されてないリンクからトラフィックを遠ざけるよう動かすことはほとんど魅力がないかもしれない。しかしながら、マルチレイヤトラフィック技法が適用でき、ＩＰリンクが動的に用意できて廃止できるならば、トラフィックを集めることが望ましく、もしも可能ならば、光経路リース料を減らすために不使用のＩＰリンクを除去することが望ましい。
【００３４】
上述のように、変換されたトポロジは、ＩＰネットワークのトラフィックに関する追加的な容量を付加するために光伝送サービスプロバイダにより公表された、光ネットワーク１４のトポロジの部分集合を示す。進入ＬＳＲ−ａが、輻輳した中間のＬＳＲにより要求されるようにＬＳＰ−ｌを再ルーティングする代替経路を発見できなかった場合は、利用可能なネットワークリソースは、トラフィック要求に応じるには不十分である。ＩＰネットワークトポロジがグラフＧ（Ｖ，Ｅ）で表現されるものとする。但し、ＶはＩＰノードの集合であり、Ｅは存在するＩＰリンクの集合である。利用度が高すぎて（即ち、輻輳して）ＬＳＰ−ｌを搬送できないＩＰリンクを除いた残りのＩＰリンクの集合を、Ｅ１とする。そうすると、Ｇ（Ｖ，Ｅ１）は接続されたグラフではなく、進入ＬＳＲ−ａから進出ＬＳＲ−ｚに至る何らの経路も存在しない。
【００３５】
グラフＧ（Ｖ，Ｅ１）は、再び接続されるように拡張されてもよい。光伝送サービスプロバイダにより公表されたＷＤＭトポロジの部分集合を表現するために、グラフＧ（Ｖ，Ｅ２）が使用される。集合Ｅ２内のリンクの各々は、候補リンクであり、ＷＤＭネットワーク内の対応する光経路を用いるコストに関連付けられる。その結果、コストメトリックは、ｃ（ｅ）＞０，∀ｅ∈Ｅ２  で示される。特定の場合には、ＬＳＲ−ｍ及びＬＳＲ−ｎ間の新たなＩＰリンクのコストは、ＷＤＭトポロジにおけるＯＸＣ−ｍ及びＯＸＣ−ｎ間の最短経路のホップ数に等しいと仮定されてもよい。但し、ＬＳＲ−ｍ，ｎはＯＸＣ−ｍ，ｎにそれぞれ接続される。
【００３６】
グラフＧ（Ｖ，Ｅ２）は、ＷＤＭネットワークの変換トポロジと言及されてもよい。それは、光伝送サービスプロバイダにより提案される光経路についての本質な情報をＩＰレイヤに提供するが、実際のＷＤＭトポロジの詳細を保護（シールド）する。集合Ｅ２は、ＷＤＭネットワークでも存在するＩＰリンクでもファイバリンクを必ずしも模擬しなくてもよい。光伝送サービスプロバイダ及びインターネットサービスプロバイダは、そのインターネットサービスプロバイダが受ける光経路サービスを交渉してもよい。光伝送サービスプロバイダは、そのような交渉に従って、変換トポロジ及び関連するコストを構成してもよい。特定の実施例は、コストメトリック  ｃ（ｅ）＞０，∀ｅ∈Ｅ２  を判定するために、別のコスト関数を利用してもよい。
【００３７】
上述のように、特定の実施例はハイブリッド経路ルーティング機能を利用し、考察するＬＳＰの新たな経路が、存在するＩＰトポロジと、光伝送サービスプロバイダにより公表されたＷＤＭトポロジとの結合により算出される。変換トポロジにより、インターネットサービスプロバイダは、既存のＩＰトポロジを可能性のあるリンクで拡張することができ、可能性のある（潜在的な）リンクは、トラフィックの処理イベントに応じてＩＰネットワークに付加されてもよいものである。
【００３８】
拡張されたグラフＧ（Ｖ，Ｅ１＋Ｅ２）は、接続されたグラフになることが予想される。特別に指定されたコストメトリックとともに、進入ノードは、ＬＳＰ再ルーティングに適切な経路を発見するために、ダイクストラ（Ｄｉｊｋｓｔｒａ）のアルゴリズムを使用してもよい。その結果の経路（パス）は、（Ｅ１内の）既存のＩＰリンクと、（Ｅ２内の）変換トポロジによる（未だ存在してないかもしれない）１以上のリンクより成るハイブリッド経路である。ＬＳＰ再ルーティングを完了することは、２つの付加的なステップにより実行される。第１に、ハイブリッド経路内の新たなＩＰリンクに対応する光経路がＷＤＭレイヤによって設定される。第２に、新たに拡張されたＩＰトポロジでＬＳＰが再ルーティング可能にされる前に、ＩＰリンクが起動される必要がある。起動プロセスの間に、新たなＩＰリンクの両端のＩＰルータは、そのリンクに未使用ポートを割り当て、設定された光経路と共にそのポートを活性化する（アクティブにする）。
【００３９】
特定の実施例は、ダイクストラのアルゴリズムを実行するために以下に説明される特別なコスト関数を使用してもよい。この設計の目的は、光経路リースコストの観点からネットワークコストを最小化することである。説明の簡明化のため、ＩＰリンクの２方向を別々に考える。ＩＰリンクｉを利用することは、順方向については、
【００４０】
【数１】
2005312048.tif 000003
で表され、逆方向の利用は、
【００４１】
【数２】
2005312048.tif 000004
で表される。ＩＰリンクが輻輳していると考えられる利用閾値がＵＨであるとすると、双方向のＩＰリンクの利用メトリックは、
【００４２】
【数３】
2005312048.tif 000005
で定義されてもよい。
これは、「全」ＩＰリンクｉが両方の方向でどのように使用されているかを表す。（Ｅ−Ｅ１）の集合に属するリンクは排除される、というのは、それらの利用度は高すぎて再ルーティングされるＬＳＰのトラフィックをサポートできないからである。更に、双方向の利用はＵＨで制限されてもよい、なぜなら、利用度がＵＨを超えると、そのリンクは「完全に」利用されていると考えられてもよいからである。Ｉｉは、リンクが双方でアイドルであるか否かを示す関数であり、次式で定義される：
【００４３】
【数４】
2005312048.tif 000006
ネットワークコスト、又はネットワーク全体のリースコストは、
【００４４】
【数５】
2005312048.tif 000007
で定義できる。ここで、ＣｉはＩＰリンクｉをリースするコストである。直感的には、これは、アイドルでないＩＰリンク各々についての光経路リース料の合計である。ＩＰリンクが双方向でアイドルであるならば、そのリンクは廃止され、従ってネットワークコストには寄与しない。
【００４５】
上述のコスト関数は、起動される必要のある最小数のＩＰリンクのみを起動することを保証し、その結果リース料を減らす。しかしながら、トラフィック結合（コンソリデーション）に良い経路を選択することや、候補リンクを含まないトラフィック処理には、この定義は適切でないかもしれない。なぜなら、利用度はゼロになるまで或いはゼロから変化するまで、リンク利用度の変化はＩｉに反映しないからである。このため、連続的な関数ＪｉがＩｉの代わりに採用される。Ｊｉの形状は以下のようになる：
【００４６】
【数６】
2005312048.tif 000008
新たなネットワークコストは：
【００４７】
【数７】
2005312048.tif 000009
のようになる。同様に、新たなネットワークコストは、ハイブリッド経路計算で考察されるリンクにわたって（Ｅ１＋Ｅ２）合計される。ダイクストラのアルゴリズムを適用するために、ＩＰリンクが考察中のＬＳＰのトラフィックを搬送する場合に、リンクの「距離メトリック」が限界リンク費用として割り当てられる。特に、リンクの「距離メトリック」は、Ｄｉで示される。
【００４８】
【数８】
2005312048.tif 000010
【００４９】
【数９】
2005312048.tif 000011
ここで、ｕｉ’は、再ルーティングされるＬＳＰからトラフィック量ｂを搬送する場合の、ＩＰリンクｉの新たなコストである。「距離メトリック」を用いて、最短距離の経路がダイクストラのアルゴリズムにより計算される。結果の経路は、２つの注意深く設計される性質を維持するように、ＬＳＰ再ルーティングに使用される。第１に、それは起動する新たなＩＰリンクのコストを減らす。第２に、それは利用度の軽いＩＰリンクを避けることによってＩＰトラフィックを集める。
【００５０】
図３に示されるいくつかのステップは、適切であるならば、結合され、修正され又は除去されてもよく、更なるステップがフローチャートに追加されてもよい。更に、本発明の範囲から逸脱せずに、適切ないかなる順序で各ステップが実行されてもよい。
【００５１】
上述のように、本発明の特定の実施例は、ＷＤＭトポロジの表現物のみがインターネットサービスプロバイダに明らかにされるように、ＩＰトポロジ上にＷＤＭトポロジを重ねる。従って、ＩＰトラフィックを管理する場合に、インターネットサービスプロバイダは、全体的なＷＤＭトポロジや光トラフィック処理判断の詳細を考慮しなくてもよい。その代わりに、インターネットサービスプロバイダは、光伝送サービスプロバイダと交渉した利用可能なＷＤＭリンクを示すトポロジのみを受信する。従って、再ルーティング計算コストが減らされるかもしれない。特定の実施例は、動的なネットワーク供給を可能にし、初期のネットワーク計画に設定された重要度やウエイトを減らす。更に、特定の実施例は、光伝送サービスプロバイダが、同じリソース量でより多くの顧客を収容することを可能にするので、光伝送サービスプロバイダの収益が増えるかもしれない。
【００５２】
以上本発明は特定の実施例を参照しながら詳細に説明されてきたが、他の様々な変更例、置換例及び代替例が、本発明の精神及び範囲から逸脱せずになされてもよいことは、理解されるべきである。例えば、本発明はＩＰ及び光ネットワーク並びにトラフィックマネジャに含まれる多数の要素に関連して説明されたが、特定のルーティングアーキテクチャに対応するため又は必要に応じて、各要素が結合され、再配備され又は位置付けられてもよい。更に、これらの要素のどれも、適切ならば、別個の外部素子として設けられてもよい。本発明では、それらの内部素子に加えてこれらの素子配備に大きな柔軟性があるよう想定されている。
【００５３】
他の多くの変更例、置換例、変形例、代替例及び修正例が当業者に確認されるであろう。本発明はそのような変更例、置換例、変形例、代替例及び修正例を添付の特許請求の範囲の精神及び範疇に包含することが意図される。
【００５４】
以下、本発明により教示される手段が例示的に列挙される。
【００５５】
（付記１）
トラフィックを通信するために、インターネットプロトコル（ＩＰ）リンクで接続された複数のノードより成るＩＰネットワークを準備するステップ；
輻輳イベントについて前記ＩＰネットワークを監視するステップ；
輻輳イベントを検出した場合に、再ルーティングするために前記ＩＰネットワークのラベル交換経路（ＬＳＰ）を選択するステップ；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出するステップ；
選択されたＬＳＰに関する前記ハイブリッドパスルートのパフォーマンスがコストを減らすか否かを判定するステップ；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングするステップ；
を有することを特徴とするネットワークトラフィックを管理する方法。
【００５６】
（付記２）
選択されたＬＳＰの再ルーティング後に、アイドル状態のＩＰリンクを廃止するステップを更に有する
ことを特徴とする付記１記載の方法。
【００５７】
（付記３）
前記ＷＤＭトポロジの光伝送サービスプロバイダにより構築され且つ前記ＷＤＭトポロジの利用可能な光経路の部分集合を有する変換トポロジを受信するステップ；
を更に有し、前記ハイブリッドパスルートが前記変換トポロジに基づいて算出される  
ことを特徴とする付記１記載の方法。
【００５８】
（付記４）
選択されたＬＳＰに関する前記ハイブリッドパスルートのパフォーマンスがコストを減らすか否かを判定するステップが、前記ハイブリッドパスルートの各ＩＰリンク及び各光経路に関するコストを計算するステップを有する
ことを特徴とする付記１記載の方法。
【００５９】
（付記５）
前記ＷＤＭトポロジの少なくとも１つの光経路の各々で新たなＩＰリンクをアクティブにするステップが、
前記少なくとも１つの光経路各自の端部各々に未使用ルータポートを割り当てるステップ；及び
設定された光経路各自に割り当てられたルータポートをアクティブにするステップ；
を有することを特徴とする付記１記載の方法。
【００６０】
（付記６）
前記ＩＰネットワークの複数のノード各々が、ＩＰルータより成る
ことを特徴とする付記１記載の方法。
【００６１】
（付記７）
前記ＷＤＭトポロジの光経路の各々が、前記ＷＤＭトポロジの光相互接続部を接続する
ことを特徴とする付記１記載の方法。
【００６２】
（付記８）
前記ハイブリッドパスルートが、少なくとも１つのＩＰリンクを有する
ことを特徴とする付記１記載の方法。
【００６３】
（付記９）
インターネットプロトコル（ＩＰ）リンクで接続された複数のノードより成る、トラフィックを通信するためのＩＰネットワーク；
光トラフィックを伝送する複数の光経路を有する、ＩＰネットワークに接続された波長分割多重化（ＷＤＭ）トポロジ；及び
コントローラ；
を有し、前記コントローラは、
トラフィックを通信するためにＩＰリンクを準備し；
輻輳イベントについて前記ＩＰネットワークを監視し；
輻輳イベントを検出した場合に、再ルーティングするために前記ＩＰネットワークのラベル交換経路（ＬＳＰ）を選択し；
前記複数のノード中の第１ノード及び第２ノード間で選択されたＬＳＰについて、前記ＷＤＭトポロジの複数の光経路の少なくとも１つを有するハイブリッドパスルートを算出し；
選択されたＬＳＰに関する前記ハイブリッドパスルートのパフォーマンスがコストを減らすか否かを判定し；及び
前記ハイブリッドパスルートがコストを減らす場合に、前記ＷＤＭトポロジの複数の光経路の少なくとも１つの各々で新たなＩＰリンクをアクティブにし；及び前記ハイブリッドパスルートに従って選択されたＬＳＰを再ルーティングする；
ことを特徴とするネットワークトラフィックを管理するシステム。
【００６４】
（付記１０）
前記コントローラが、選択されたＬＳＰの再ルーティング後に、アイドル状態のＩＰリンクを廃止する
ことを特徴とする付記９記載のシステム。
【００６５】
（付記１１）
前記コントローラが、前記ＷＤＭトポロジの光伝送サービスプロバイダにより構築され且つ前記ＷＤＭトポロジの利用可能な光経路の部分集合を有する変換トポロジを受信し；及び前記ハイブリッドパスルートが前記変換トポロジに基づいて算出される
ことを特徴とする付記９記載のシステム。
【００６６】
（付記１２）
コントローラが、選択されたＬＳＰに関する前記ハイブリッドパスルートのパフォーマンスがコストを減らすか否かを判定する場合に、前記ハイブリッドパスルートの各ＩＰリンク及び各光経路に関するコストを計算する
ことを特徴とする付記９記載のシステム。
【００６７】
（付記１３）
コントローラが、前記ＷＤＭトポロジの少なくとも１つの光経路の各々で新たなＩＰリンクをアクティブにする場合に、コントローラが、
前記少なくとも１つの光経路各自の端部各々に未使用ルータポートを割り当て；及び
設定された光経路各自に割り当てられたルータポートをアクティブにする；
ことを特徴とする付記９記載のシステム。
【００６８】
（付記１４）
前記ＩＰネットワークの複数のノード各々が、ＩＰルータより成る
ことを特徴とする付記９記載のシステム。
【００６９】
（付記１５）
前記ＷＤＭトポロジの複数の光経路の各々が、前記ＷＤＭトポロジの光相互接続部を接続する
ことを特徴とする付記９記載のシステム。
【００７０】
（付記１６）
前記ハイブリッドパスルートが、少なくとも１つのＩＰリンクを有する
ことを特徴とする付記９記載のシステム。
【００７１】
（付記１７）
ネットワークトラフィックを管理する、媒体中にエンコードされる論理装置であって、
トラフィックを通信するために、インターネットプロトコル（ＩＰ）リンクで接続された複数のノードより成るＩＰネットワークを準備すること；
輻輳イベントについて前記ＩＰネットワークを監視すること；
輻輳イベントを検出した場合に、再ルーティングするために前記ＩＰネットワークのラベル交換経路（ＬＳＰ）を選択すること；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出すること；
選択されたＬＳＰに関する前記ハイブリッドパスルートのパフォーマンスがコストを減らすか否かを判定すること；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングすること；
を実行させる論理装置。
【００７２】
（付記１８）
選択されたＬＳＰの再ルーティング後に、アイドル状態のＩＰリンクを廃止すること
を更に実行させる付記１７記載の論理装置。
【００７３】
（付記１９）
前記ＷＤＭトポロジの光伝送サービスプロバイダにより構築され且つ前記ＷＤＭトポロジの利用可能な光経路の部分集合を有する変換トポロジを受信すること；
を更に実行させ、前記ハイブリッドパスルートが前記変換トポロジに基づいて算出される
ことを特徴とする付記１７記載の論理装置。
【００７４】
（付記２０）
選択されたＬＳＰに関する前記ハイブリッドパスルートのパフォーマンスがコストを減らすか否かを判定する場合に、前記ハイブリッドパスルートの各ＩＰリンク及び各光経路に関するコストを計算すること
を実行させる付記１７記載の論理装置。
【００７５】
（付記２１）
前記ＷＤＭトポロジの少なくとも１つの光経路の各々で新たなＩＰリンクをアクティブにする場合に、
前記少なくとも１つの光経路各自の端部各々に未使用ルータポートを割り当てること；及び
設定された光経路各自に割り当てられたルータポートをアクティブにすること；
を実行させる付記１７記載の論理装置。
【００７６】
（付記２２）
前記ＩＰネットワークの複数のノード各々が、ＩＰルータより成る
ことを特徴とする付記１７記載の論理装置。
【００７７】
（付記２３）
前記ＷＤＭトポロジの複数の光経路の各々が、前記ＷＤＭトポロジの光相互接続部を接続する
ことを特徴とする付記１７記載の論理装置。
【００７８】
（付記２４）
前記ハイブリッドパスルートが、少なくとも１つのＩＰリンクを有する
ことを特徴とする付記１７記載の論理装置。
【００７９】
（付記２５）
トラフィックを通信するために、インターネットプロトコル（ＩＰ）リンクで接続された複数のノードより成るＩＰネットワークを準備する手段；
輻輳イベントについて前記ＩＰネットワークを監視する手段；
輻輳イベントを検出した場合に、再ルーティングするために前記ＩＰネットワークのラベル交換経路（ＬＳＰ）を選択する手段；
前記複数のノード中の第１ノード及び第２ノード間で選択されたＬＳＰについて、前記ＩＰネットワークに接続される波長分割多重化（ＷＤＭ）トポロジの少なくとも１つの光経路を有するハイブリッドパスルートを算出する手段；
選択されたＬＳＰに関する前記ハイブリッドパスルートのパフォーマンスがコストを減らすか否かを判定する手段；及び
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングする手段；
を有することを特徴とするネットワークトラフィックを管理するシステム。
【００８０】
（付記２６）
選択されたＬＳＰの再ルーティング後に、アイドル状態のＩＰリンクを廃止する手段を更に有する
ことを特徴とする付記２５記載のシステム。
【００８１】
（付記２７）
前記ＷＤＭトポロジの光伝送サービスプロバイダにより構築され且つ前記ＷＤＭトポロジの利用可能な光経路の部分集合を有する変換トポロジを受信する手段；
を更に有し、前記ハイブリッドパスルートが前記変換トポロジに基づいて算出される  
ことを特徴とする付記２５記載のシステム。
【００８２】
（付記２８）
選択されたＬＳＰに関する前記ハイブリッドパスルートのパフォーマンスがコストを減らすか否かを判定する手段が、前記ハイブリッドパスルートの各ＩＰリンク及び各光経路に関するコストを計算する手段を有する
ことを特徴とする付記２５記載のシステム。
【００８３】
（付記２９）
前記ＷＤＭトポロジの少なくとも１つの光経路の各々で新たなＩＰリンクをアクティブにする手段が、
前記少なくとも１つの光経路各自の端部各々に未使用ルータポートを割り当てる手段；及び
設定された光経路各自に割り当てられたルータポートをアクティブにする手段；
を有することを特徴とする付記２５記載のシステム。
【００８４】
（付記３０）
前記ＩＰネットワークの複数のノード各々が、ＩＰルータより成る
ことを特徴とする付記２５記載のシステム。
【００８５】
（付記３１）
前記ＷＤＭトポロジの光経路の各々が、前記ＷＤＭトポロジの光相互接続部を接続する
ことを特徴とする付記２５記載のシステム。
【００８６】
（付記３２）
前記ハイブリッドパスルートが、少なくとも１つのＩＰリンクを有する
ことを特徴とする付記２５記載の方法。
【００８７】
（付記３３）
トラフィックを通信するために、インターネットプロトコル（ＩＰ）リンクで接続された複数のノードより成るＩＰネットワークを準備するステップであって、前記複数のノードの各々はＩＰルータより成るところのステップ；
輻輳イベントについて前記ＩＰネットワークを監視するステップ；
輻輳イベントを検出した場合に、再ルーティングするために前記ＩＰネットワークのラベル交換経路（ＬＳＰ）を選択するステップ；
波長分割多重化（ＷＤＭ）トポロジの光伝送サービスプロバイダにより構築され且つ前記ＷＤＭトポロジの利用可能な光経路の部分集合を有する変換トポロジを受信するステップであって、前記ＷＤＭトポロジの光経路の各々は前記ＷＤＭトポロジの光相互接続部を接続するところのステップ；
前記複数のノード中の第１ノード及び第２ノード間で選択されたＬＳＰについて、前記ＩＰネットワークに接続されるＷＤＭトポロジの少なくとも１つのＩＰリンク及び少なくとも１つの光経路を有するハイブリッドパスルートを、前記変換トポロジに基づいて算出するステップ；
選択されたＬＳＰに関する前記ハイブリッドパスルートのパフォーマンスがコストを減らすか否かを判定するステップ；
前記ハイブリッドパスルートがコストを減らす場合に、前記ＷＤＭトポロジの少なくとも１つの光経路の各々で新たなＩＰリンクをアクティブにし；及び前記ハイブリッドパスルートに従って選択されたＬＳＰを再ルーティングするステップ；及び
選択されたＬＳＰを再ルーティングした後に、アイドル状態のＩＰリンクを廃止するステップ；
を有することを特徴とするネットワークトラフィックを管理する方法。
【図面の簡単な説明】
【００８８】
【図１】本発明の特定の実施例によるインターネットプロトコル（ＩＰ）トラフィックを管理するシステムを示す。
【図２】本発明の特定の実施例による図１のシステムのネットワークトラフィックを管理するトラフィックマネジャを示す。
【図３】本発明の特定の実施例による、ネットワークトラフィックを管理する方法を示すフローチャートである。
【符号の説明】
【００８９】
１０  システム
１２  ＩＰネットワーク
１４  光ネットワーク
１６  ルータ
１８  ＩＰリンク
２０  光相互接続部
２２  光リンク
３０  トラフィック管理部
３２  インターフェース
３４  コントローラ
３６  メモリ
【図１】
2005312048.tif 000012
【図２】
2005312048.tif 000013
【図３】
2005312048.tif 000014